(57)【特許請求の範囲】
【請求項１】
第１経路と、前記第１経路に流れる第１空気と熱交換される第２空気が流れる第２経路とを含む熱交換器の上方に設けられる給水体であって、
前記熱交換器に供給される水を受ける水受部と、
前記水受部が受けた水が、流れる複数の流水路とを備え、
前記複数の流水路夫々は、前記第２経路を構成する複数のチャネル夫々に向けて延設されており、
前記水受部は、円筒状を成し、
前記複数の流水路夫々は、前記水受部の外周面から放射状に延設されている
ことを特徴とする給水体。
【請求項２】
前記水受部の外周面からは、複数のリブが放射状に延設されており、
前記複数の流水路夫々は、隣り合う２つの前記リブの間に形成されており、
隣り合う２つの前記リブによる角度は、前記水受部の外周面から延設されている複数の前記リブにおいて等しい
ことを特徴とする請求項１に記載の給水体。
【請求項３】
前記リブ夫々の端部は、２つに分岐しており、
前記２つに分岐された端部夫々は、前記第２経路における隣り合う２つのチャネル夫々に位置合わせして設けられている
ことを特徴とする請求項２に記載の給水体。
【請求項４】
前記リブ夫々は、前記第２空気の流れ方向における上流側の領域と、下流側の領域とに延設されており、
前記上流側の領域に延設されたリブの端部と、前記下流側の領域に延設されたリブの端部とは、互いに異なるチャネルに位置合わせして設けられている
ことを特徴とする請求項３に記載の給水体。
【請求項５】
前記上流側の領域に延設されたリブの端部と、前記下流側の領域に延設されたリブの端部とは、千鳥状に設けられている
ことを特徴とする請求項４に記載の給水体。
【請求項６】
前記給水体は矩形状の箱体を成し、
前記水受部及び前記流水路を形成する前記リブは、前記箱体の上面に設けられており、
前記箱体の側面には、前記２つに分岐されたリブの端部夫々から下方に延びる縦リブが設けられていることを特徴とする請求項３から請求項５のいずれか１項に記載の給水体。
【請求項７】
前記２つに分岐されたリブの端部夫々から前記箱体の側面に沿って下方に延設される縦リブ間の距離は、前記第１経路を構成するチャネル夫々のピッチ幅よりも大きくしてあり、
前記第１経路のチャネルは、前記縦リブの間に位置する
ことを特徴とする請求項６に記載の給水体。
【請求項８】
前記箱体の前記上面にはＶ字状の切欠き部が形成されており、
前記切欠き部によって形成される２つの内面夫々には、前記縦リブが設けられている
ことを特徴とする請求項６又は請求項７に記載の給水体。
【請求項９】
前記給水体は、第１空気の流れ方向において、前記熱交換器における前記第１経路の下流側に設けられている
ことを特徴とする請求項１から請求項８のいずれか１項に記載の給水体。
【請求項１０】
請求項１から請求項９のいずれか１項に記載の給水体と、
第１経路と、第１経路に流れる第１空気との間で顕熱が交換される第２空気が流れる第２経路とを含む熱交換器とを備え、
前記給水体は、前記熱交換器の上部に設けられている
ことを特徴とする熱交換器ユニット。
【請求項１１】
請求項１から請求項９のいずれか１項に記載の給水体と、
第１経路と、第１経路に流れる第１空気との間で顕熱が交換される第２空気が流れる第２経路とを含む熱交換器と、
前記熱交換器を通過した前記第１空気を給気として被空調空間に吹き出す第１吹出口と、
前記熱交換器を通過した前記第２空気を排気して吹き出す第２吹出口とを備え、
前記給水体は、前記熱交換器の上部に設けられている
ことを特徴とする空調機。
【発明の詳細な説明】
【技術分野】
【０００１】
本発明は、給水体、熱交換器ユニット及び空調機に関する。
【背景技術】
【０００２】
室内の空気を吸い込み、水の気化熱を利用し雰囲気温度を低下させて冷却した空気を、室内に吹き出す気化冷却式の空調機が知られている（例えば特許文献１）。特許文献１の空調機（冷風扇）は、ケーシング内に配置された送風手段と、吸込口と第１吹出口とを連通し、送風手段によって発生した空気流を第１吹出口に導く第１流路と、吸込口と第２吹出口とを連通し、送風手段によって発生した空気流を第２吹出口に導く第２流路と、第２流路に配置され、水の気化熱により第２流路を流れる空気を冷却する気化手段とを備え、第２流路の気化手段によって冷却された空気流と第１流路を流れる空気流との間で熱交換を行う熱交換器が設けられている。気化手段が備えられている第２流路において、気化手段の下流側には、気化手段によって散布された霧状の水（未蒸発の散布水）及び、気化した水（蒸発した散布水）により絶対湿度が増加した空気が流れる。この湿度が増加した空気は、第２流路の出口となる第２吹出口から排気として吹き出される。熱交換器を介して冷却された第１流路を流れる空気流は、第１吹出口から給気として被空調空間に吹き出される。
【０００３】
特許文献１の空調機において、送風手段によって送風される第２流路を流れる空気は、顕熱交換器が有する複数のチューブ内を通過し、送風手段によって送風される第１流路を流れる空気は、当該複数のチューブの周りを通過することにより、第２流路を流れる空気と、第１流路を流れる空気とが熱交換される。
【先行技術文献】
【特許文献】
【０００４】
【特許文献１】特開２０１４−０９２３３８号公報
【発明の概要】
【発明が解決しようとする課題】
【０００５】
しかしながら、特許文献１の空調機の顕熱交換器は、単に第１流路を流れる空気と、第２流路を流れる空気との間にて熱交換を行うものであり、効率的に冷却することができない。
【０００６】
発明は斯かる事情に鑑みてなされたものであり、冷却能力を向上させることができる給水体、熱交換器ユニット及び空調機を提供することを目的とする。
【課題を解決するための手段】
【０００７】
本開示の一態様に係る給水体は、第１経路と、前記第１経路に流れる第１空気と熱交換される第２空気が流れる第２経路とを含む熱交換器の上方に設けられる給水体であって、前記熱交換器に供給される水を受ける水受部と、前記水受部が受けた水が、流れる複数の流水路とを備え、前記複数の流水路夫々は、前記第２経路を構成する複数のチャネル夫々に向けて延設されており、前記水受部は、円筒状を成し、前記複数の流水路夫々は、前記水受部の外周面から放射状に延設されている。
【０００８】
本態様にあたっては、熱交換器の上方に設けられる給水体から、当該熱交換器に水が供給されるため、熱交換器における冷却能力を向上させることができる。熱交換器に水を供給するにあたり、給水体には、熱交換器の第２経路を構成する複数のチャネル夫々に向けて延設される複数の流水路が設けられているため、第２経路のチャネル夫々に対し効率的に散水することができ、第２経路のチャネル夫々に流れる第２空気の温度分布に偏差が発生することを抑制し、当該第２空気を効率的に冷却することができる。熱交換器は、このように効率的に冷却された第２空気と、第１経路を流れる第１空気との間にて顕熱交換を行うものであり、このような給水体を熱交換器の上部に設けることにより、熱交換器の冷却能力を更に向上させることができる。
【０００９】
本開示の一態様に係る給水体の前記水受部は、円筒状を成し、前記複数の流水路夫々は、前記水受部の外周面から放射状に延設されている。
【００１０】
本態様にあたっては、複数の流水路夫々は、円筒状を成す水受部の外周面から放射状に延設されているため、水受部が受けた水を、複数の流水路夫々を介して第２経路を構成する複数のチャネル夫々に供給するにあたり、当該流水路の流路長さが増加することを抑制し、効率的にチャネル夫々に水を供給することができる。これにより、熱交換器の冷却能力を更に向上させることができる。
【００１１】
本開示の一態様に係る給水体の前記水受部の外周面からは、複数のリブが放射状に延設されており、前記複数の流水路夫々は、隣り合う２つの前記リブの間に形成されており、隣り合う２つの前記リブによる角度は、前記水受部の外周面から延設されている複数の前記リブにおいて等しい。
【００１２】
本態様にあたっては、流水路夫々は、隣り合う２つのリブによって形成されるものであり、当該隣り合う２つのリブの角度は、水受部の外周面から延設されている複数のリブの全てにおいて等しい角度となるようにしてある。従って、水受部が受け付けた水を、流水路夫々に対し散水して分配するにあたり、流水路夫々における分配水量の差異が大きくなることを抑制することができる。流水路夫々における分配水量の差異が大きくなることを抑制することにより、第２経路のチャネル夫々に供給される水量の均等化を図ることができるため、第２経路のチャネル夫々に流れる第２空気の温度分布に偏差が発生することを抑制し、当該第２空気を効率的に冷却することができる。
【００１３】
本開示の一態様に係る給水体の前記リブ夫々の端部は、２つに分岐しており、前記２つに分岐された端部夫々は、前記第２経路における隣り合う２つのチャネル夫々に位置合わせして設けられている。
【００１４】
本態様にあたっては、リブ夫々の端部は、２つに分岐されており、分岐された端部夫々、すなわち２つの分岐端は、第２経路における隣り合う２つのチャネル夫々に位置合わせして設けられている。従って、流水路に流れた水を、分岐された端部夫々からなる２つの分岐端に伝わらせて、隣り合う２つのチャネル夫々に供給することができる。これにより、熱交換器の冷却能力を更に向上させることができる。
【００１５】
本開示の一態様に係る給水体の前記リブ夫々は、前記第２空気の流れ方向における上流側の領域と、下流側の領域とに延設されており、前記上流側の領域に延設されたリブの端部と、前記下流側の領域に延設されたリブの端部とは、互いに異なるチャネルに位置合わせして設けられている。
【００１６】
本態様にあたっては、リブ夫々は、第２空気の流れ方向における第２経路の上流側の領域と、第２経路の下流側の領域とに延設されているため、第２経路の一方の側の領域に集中させてリブを延設する場合と比較し、リブ間のピッチ幅を大きくとることができ、給水体の製造性を向上させることができる。第２経路の上流側の領域に延設されたリブの端部と、下流側の領域に延設されたリブの端部とは、互いに異なるチャネルに位置合わせして設けられているため、チャネル夫々に対する給水量の均等化を図ることができ、第２経路のチャネル夫々に流れる第２空気の温度分布に偏差が発生することを抑制し、当該第２空気を効率的に冷却することができる。
【００１７】
本開示の一態様に係る給水体の前記上流側の領域に延設されたリブの端部と、前記下流側の領域に延設されたリブの端部とは、千鳥状に設けられている。
【００１８】
本態様にあたっては、第２経路の上流側の領域に延設されたリブの端部と、第２経路の下流側の領域に延設されたリブの端部とを千鳥状に設けることにより、上流側の領域に延設されたリブの端部から給水されるチャネルと、下流側の領域に延設されたリブの端部から給水されるチャネルとが、交互に並ぶようにすることができる。従って、第２経路の全域において、リブ夫々の端部から水が滴下される場所が偏ること抑制し、当該第２空気を効率的に冷却することができる。
【００１９】
本開示の一態様に係る給水体は矩形状の箱体を成し、前記水受部及び前記流水路を形成する前記リブは、前記箱体の上面に設けられており、前記箱体の側面には、前記２つに分岐されたリブの端部夫々から下方に延びる縦リブが設けられている。
【００２０】
本態様にあたっては、矩形状の箱体を成す給水体の側面には、上面から下方に延設される縦リブが形成されているため、当該縦リブに水を伝わらせることにより、第２経路を構成するチャネル夫々に効率的に水を供給することができる。これにより、熱交換器の冷却能力を更に向上させることができる。
【００２１】
本開示の一態様に係る給水体において、前記２つに分岐されたリブの端部夫々から前記箱体の側面に沿って下方に延設される縦リブ間の距離は、前記第１経路を構成するチャネル夫々のピッチ幅よりも大きくしてあり、前記第１経路のチャネルは、前記縦リブの間に位置する。
【００２２】
本態様にあたっては、縦リブ間の距離は、第１経路及び第２経路を構成するチャネル夫々のピッチ幅よりも大きくしてあり、縦リブの間に第１経路のチャネルが位置するように設けられている。二本のリブにより形成される流水路を流れた水は、リブの端部が２つに分岐されることにより構成される縦リブの外側の面に沿って、流れるものとなる。従って、縦リブの間、すなわち縦リブを構成する二本のリブの間に位置する第１経路のチャネルに水が滴下することを防止しつつ、当該縦リブの外側の面に水を伝わらせて、第２経路のチャネルに効率的に給水することができる。これにより、熱交換器の冷却能力を更に向上させることができる。
【００２３】
本開示の一態様に係る給水体の前記箱体の前記上面にはＶ字状の切欠き部が形成されており、前記切欠き部によって形成される２つの内面夫々には、前記縦リブが設けられている。
【００２４】
本態様にあたっては、箱体の上面に形成されたＶ字状の切欠き部によって、互いに向かい合う２つの内面が形成される。これら２つの内面においても、縦リブが設けられているため、第２経路を構成するチャネルに対する給水量を増加させることができ、第２空気を効率的に冷却することができる。
【００２５】
本開示の一態様に係る給水体は、第１空気の流れ方向において、前記熱交換器における前記第１経路の下流側に設けられている。
【００２６】
本態様にあたっては、給水体は、第１空気の流れ方向において、顕熱交換器における第１空気が流れる複数の経路の下流側に設けられており、すなわち顕熱交換器における第１空気が流れる経路の入口よりも出口の側に偏倚させて設けられている。顕熱交換器における第１空気が流れる複数の経路において、給水体に近接するほど、例えばタンクユニット等から供給される水によって温度が低下するところ、給水体を下流側、すなわち出口側に設けることにより、当該経路における全域に亘って、第１空気と水との温度差を大きくとることができ、当該第１空気に対する冷却効率を更に向上させることができる。
【００２７】
本開示の一態様に係る熱交換器ユニットは、本開示の一態様に係るいずれかの給水体と、第１経路と、第１経路に流れる第１空気との間で顕熱が交換される第２空気が流れる第２経路とを含む熱交換器とを備え、前記給水体は、前記熱交換器の上部に設けられている。
【００２８】
本態様にあたっては、本開示の一態様に係るいずれかの給水体と、当該給水体が上部に設けられている熱交換器とを備えることにより、冷却能力が向上する熱交換器ユニットを提供することができる。
【００２９】
本開示の一態様に係る空調機は、本開示の一態様に係るいずれかの給水体と、第１経路と、第１経路に流れる第１空気との間で顕熱が交換される第２空気が流れる第２経路とを含む熱交換器と、前記熱交換器を通過した前記第１空気を給気として被空調空間に吹き出す第１吹出口と、前記熱交換器を通過した前記第２空気を排気して吹き出す第２吹出口とを備え、前記給水体は、前記熱交換器の上部に設けられている。
【００３０】
本態様にあたっては、本開示の一態様に係るいずれかの給水体と、当該給水体が上部に設けられている熱交換器とを備えることにより、水により冷却された第２空気によって、冷却された第１空気を給気として被空調空間に吹き出す空調機を提供することができる。
【発明の効果】
【００３１】
冷却能力を向上させる給水体、熱交換器ユニット及び空調機を提供することができる。
【図面の簡単な説明】
【００３２】
【図１】実施形態１に係る給水体を含む熱交換器ユニットの一構成例を示す模式的斜視図である。
【図２】給水体の一構成例を示す模式的斜視図である。
【図３】給水体の一構成例を示す模式的平面図である。
【図４】給水体の一構成例を示す模式的下面図である。
【図５】給水体の一構成例を示す模式的側面図である。
【図６】熱交換器ユニットにおける空気の流れを模式的に示す説明図である。
【図７】熱交換器ユニットにおける給水体の要部を説明する説明図である。
【図８】熱交換器ユニットが搭載された空調機の一構成例を示す模式的側断面図である。
【発明を実施するための形態】
【００３３】
（実施形態１）
以下、実施の形態について、図面に基づいて説明する。図１は、実施形態１に係る給水体１３を含む熱交換器ユニット１の一構成例を示す模式的斜視図である。熱交換器ユニット１は、後述する空調機１００（図８参照）に搭載され、空調機１００の内部に流れる第１空気（給気）及び第２空気（排気）との間にて、顕熱交換を行うものである。図１に示す熱交換器ユニット１の載置状態を、当該熱交換器ユニット１が空調機１００の内部に搭載された場合における通常の使用態様として上下左右を示す。詳細は後述するが、本実施形態においては、第１空気は、空調機１００によって空調が行われる被空調空間へ吹き出す空気である給気（ＳＡ）を意味し、第２空気は、第１空気を冷却するために用いられ、第１空気との顕熱交換がされた後に吹き出される空気である排気（ＥＡ）を意味する。
【００３４】
熱交換器ユニット１は、顕熱交換器１０、当該顕熱交換器１０に水を給水するための給水体１３、及び給水体１３を顕熱交換器１０の上部に載置するための支持部材１７を含む。
【００３５】
顕熱交換器１０は、箱状の外郭を成し、第１空気が流れる第１経路１１と、第２空気が流れる第２経路１２とが、設けられている。顕熱交換器１０における第１経路１１と第２経路１２とは、中空構造を有する複数の金属プレートにより構成され、これら金属プレート夫々を並列に設けることにより構成される。当該中空構造を有する金属プレートは、例えば複数枚のフィンにより構成されるもの又は、扁平管であってもよい。例えば、当該プレートは、伝熱性の良い金属であるアルミニウム、銅等又は、これらを主成分とする合金で形成することで、顕熱交換の効率を向上させることができる。
【００３６】
第１経路１１を構成する金属プレートによる中空構造によって、第１経路１１における夫々の第１チャネル１１０（図７参照）が形成される。すなわち第１経路１１は、複数の第１チャネル１１０を含み、これら第１チャネル１１０夫々に第１空気が流れる。同様に第２経路１２を構成する金属プレートによる中空構造によって、第２経路１２における夫々の第２チャネル１２０（図７参照）が形成される。すなわち第２経路１２は、複数の第２チャネル１２０を含み、これら第２チャネル１２０夫々に第２空気が流れる。又は、第２経路１２の第２チャネル１２０夫々は、第１経路１１を構成すべく並設された複数の金属プレート夫々の外面同士の隙間により形成されるものであってもよい。すなわち第１経路１１を構成する複数の金属プレートにおいて、隣接する金属プレート間の隙間により、第２経路１２の第２チャネル１２０が形成されるものであってもよい。
【００３７】
上述のとおり、第１経路１１を構成する第１チャネル１１０夫々には、給気となる第１空気が流れる。第２経路１２を構成する第２チャネル１２０夫々には、排気となる第２空気が流れる。本実施形態において、第１経路１１の入口は顕熱交換器１０の左側面に位置し、第１経路１１の出口は顕熱交換器１０の右側面に位置している。従って、第１経路１１は、顕熱交換器１０の左側面から右側面に向けて直線状に設けられている。第１経路１１を構成する第１チャネル１１０夫々の開口端は、例えば、顕熱交換器１０の上下方向に延びる長孔状、又は縦長の矩形状に形成されているものであってもよい。
【００３８】
本実施形態において、第２経路１２の入口は顕熱交換器１０の上面に位置し、第２経路１２の出口は顕熱交換器１０の下面に位置している。従って、第２経路１２は、顕熱交換器１０の上面から下面に向けて直線状に設けられている。第２経路１２を構成する第２チャネル１２０夫々の開口端は、例えば、顕熱交換器１０の左右方向に延びる長孔状、又は縦長の矩形状に形成されているものであってもよい。
【００３９】
このように構成された第１経路１１及び第２経路１２によって、第１経路１１を流れる第１空気と第２経路１２を流れる第２空気とによる直交流が形成される。すなわち、第１経路１１は左右方向（横方向）に顕熱交換器１０を連通し、第２経路１２は上下方向（縦方向）に顕熱交換器１０を連通している。つまり、第１経路１１と第２経路１２とは、互いに直交している。第１経路１１を構成する第１チャネル１１０夫々と、第２経路１２を構成する第２チャネル１２０夫々とは、互いに交互に並んで設けられているため、隣接する第１チャネル１１０及び第２チャネル１２０において、第１空気と第２空気との間にて顕熱が交換される。本実施形態において、第１経路１１及び第２経路１２により、第１空気及び第２空気による直交流が形成されるとしたが、これに限定されない。第１経路１１及び第２経路１２は、第１空気及び第２空気による対交流、並行流、又は直交対交が形成されるように顕熱交換器１０にて設けられているものであってもよい。
【００４０】
支持部材１７は、開口部を有する箱状を成し、例えば樹脂製の板部材により構成される。支持部材１７は、当該開口部を顕熱交換器１０の上面に向けて、当該顕熱交換器１０の上面を覆うように設けられている。
【００４１】
支持部材１７の上側には、給水体１３が載置されている。従って、給水体１３は、支持部材１７に支持されることにより、顕熱交換器１０の上方に設けられている。給水体１３は、支持部材１７の両側面の幅の大きさ（上下方向の長さ）の分、顕熱交換器１０の上方に設けられている。給水体１３の下面と顕熱交換器１０の上面とは対向しており、給水体１３の下面と、顕熱交換器１０の上面との間には、第２空気が流れる空間が形成されるものとなり、当該第２空気が流れる空間は、熱交換器ユニット１内における第２流路に相当し、第２経路１２に連通している。
【００４２】
給水体１３が載置されている支持部材１７の上面の部分には、水受部１４の形状に対応した孔が設けられており、当該孔を介して、給水体１３から滴下される水が、顕熱交換器１０に供給される。具体的には、水受部１４の上側にジョイントがあり、ジョイントの内径部から水が送られる。上述のとおり、第２経路１２の入口は、顕熱交換器１０の上面に設けられている。すなわち、第２経路１２を構成する第２チャネル１２０夫々の開口端夫々は、顕熱交換器１０の上面に設けられている。従って、給水体１３から滴下される水は、第２経路１２を構成する第２チャネル１２０夫々の開口端夫々から、第２チャネル１２０夫々に流れ込む。
【００４３】
支持部材１７の左側面には、複数の通風孔１７１（図上における例示では、４つの通風孔１７１）が設けられており、これら複数の通風孔１７１によって、支持部材１７の前面は、格子状に形成されている。通風孔１７１が設けられている支持部材１７の左側面と、第１経路１１の入口が位置する顕熱交換器１０の左側面とは、同一の方向を向いている。従って、顕熱交換器１０を搭載した空調機１００が吸込んだ空気は、第１経路１１に流入する第１空気と、支持部材１７の左側面に設けられた通風孔１７１を介して第２経路１２に流入する第２空気とに分流される。
【００４４】
第２空気は、支持部材１７の左側面に設けられた通風孔１７１を通過し、顕熱交換器１０の上面に設けられた第２経路１２の入口、すなわち第２経路１２を構成する第２チャネル１２０夫々の開口端から、第２チャネル１２０夫々に流入する。
【００４５】
支持部材１７の上面は、給水体１３が載置されている領域と、給水体１３が載置されていない領域とを含み、給水体１３が載置されている領域は、右側面の側に設けられている。給水体１３が載置されていない上面の領域は、通風孔１７１が設けられた前面の上側の縁部から、顕熱交換器１０の上面に近接するように傾斜して設けられている。
【００４６】
給水体１３の一構成例を説明する。図２は、実施形態１に係る給水体１３の一構成例を示す模式的斜視図である。給水体１３は、平面視にて矩形状を成し（図３参照）、外郭となる箱体１６を備える。給水体１３は、第１経路１１の経路方向に対し直角となるように位置させて、顕熱交換器１０の上方に載置されている。給水体１３は、上述のとおり支持部材１７の上面に載置されることにより、顕熱交換器１０の上方に支持されて設けられている。給水体１３が載置されている上面の領域は、支持部材１７の右側面の側に設けられている。
【００４７】
支持部材１７の下方には、第１経路１１が位置しており、支持部材１７の右側面の側に設けられている給水体１３は、第１空気の流れ方向において、第１経路１１の下流側に設けられている。給水体１３は、顕熱交換器１０の第２経路１２の入口上方の第１経路１１の下流側に位置している。すなわち、給水体１３は、第１経路１１の入口よりも出口の側に偏倚させて、第２経路１２の入口上方に設けられている。顕熱交換器１０の第１経路１１において、給水体１３に近接するほど、後述する第１タンク７１（図８参照）から供給される水によって温度が低下する。第１経路１１の入口における第１空気の温度は、被空調空間の室温に相当するものであり、第１経路１１内にある第１空気の温度分布において、最も高い温度となる。これに対し、第１経路１１の下流側、すなわち第１経路１１の出口側に偏倚させて給水体１３を設けることにより、第１経路１１の全域に亘って、第１空気と水との温度差を大きくとることができ、第１空気に対する冷却効率を向上させることができる。
【００４８】
図３は、給水体１３の一構成例を示す模式的平面図である。図４は、給水体１３の一構成例を示す模式的下面図である。図５は、給水体１３の一構成例を示す模式的側面図である。給水体１３は、平面視にて矩形状を成し外郭となる箱体１６を備え、例えば樹脂製である。給水体１３の上面１６１には、円筒状の水受部１４と、水受部１４から放射状に延びる複数のリブ１５０が設けられている。
【００４９】
水受部１４は、当該上面１６１における長手方向において、一方に偏倚して設けられている。水受部１４には、後述する第１タンク７１（図８参照）から延設された供給水路８（図８参照）から分岐された第２供給水路８２（図８参照）が、連通される。さらに、上面１６１は、水受部１４近傍の面は水平に形成され、所定位置から後方に向かうほど下方に向かって傾斜している。本実施形態では、図５に示すように左側の側面１６０から見ると、上面１６１は、前方端部から５番目の縦リブ１５２までが平面形状をしており、５番目の縦リブ１５２から後方端部までが後方に向かうほど低くなるように傾斜している。水受部１４近傍の面が水平に形成されることにより、水受部１４の中央に滴下された水が、同心円を描き各流水路１５に均等に分流される。さらに、水受部１４から離れた位置から傾斜していることにより、分流された水は流水路１５内に滞留することなく、第２チャネル１２０夫々に流入する。図３に示されるように、流水路１５は、水受部１４から離れるほど流路幅が広く形成されているため、上面１６１が水平面の場合、分流された水の流速は下流に進むほど緩やかになってしまうことが考えられる。しかし、上面１６１に傾斜があることにより、流速を損なわず、第２チャネル１２０夫々に分流された水を流入することが可能になる。
【００５０】
第２供給水路８２から供給された水は、水受部１４にて受けられた後、当該水受部１４から放射状に延びる複数のリブ１５０沿って分流され、分流された水は、顕熱交換器１０の第２経路１２の内部に滴下される。すなわち、給水体１３は、顕熱交換器１０の第２経路１２を構成する複数の第２チャネル１２０夫々に、第１タンク７１から供給された水を散水する散水部として機能する。
【００５１】
水受部１４の外周面から放射状に延びる複数のリブ１５０夫々は、等間隔のピッチで設けられており、当該ピッチは、例えば６ｍｍである。ピッチが等間隔に形成されることにより均等に分流される効果を高めることができる。複数のリブ１５０夫々は、水受部１４から上面１６１における長辺側の縁部に向かって、一回以上折り曲げられることにより、Ｌ字状、コの字状（Ｃ字状）又はクランク状に形成されている。
【００５２】
水受部１４から放射状に延びる複数のリブ１５０において、隣接する２つのリブ１５０によって形成される溝により、流水路１５が形成される。すなわち、給水体１３の上面１６１における流水路１５夫々は、給水体１３の上面１６１に設けられた隣接する２つのリブ１５０によって形成される溝により構成される。水受部１４によって受けられた水は、流水路１５、すなわち隣接する２つのリブ１５０によって形成される溝に沿って、上面１６１における長辺側の縁部に向かって流れるものとなる。
【００５３】
隣り合う２つのリブ１５０による角度は、水受部１４の外周面から延設されている複数のリブ１５０の全てにおいて等しい角度となるようにしてある。従って、水受部１４が受け付けた水を、流水路１５夫々に対し散水して分配するにあたり、流水路１５夫々における分配水量の差異が大きくなることを抑制することができる。
【００５４】
複数のリブ１５０夫々は、上面１６１の長辺側の縁部に近接した地点にて、二本の平行なリブ１５０に分岐されている。すなわち、複数のリブ１５０は、基端となる水受部１４から、上面１６１の長辺側の縁部に延設され、当該縁部に近接した地点に位置する端部１５１おいて、２つに分岐している。二つ分岐されたリブ１５０の端部１５１夫々からは、給水体１３の上面１６１から側面１６０に向かって折り曲げられ、縦リブ１５２として、当該側面１６０の上方から下方に向けて延設されている。つまり、縦リブ１５２は、給水体１３の側面１６０において上下に延設される一対となる平行な二本のリブにより構成されている。
【００５５】
給水体１３の上面１６１において、水受部１４が設けられている側の短辺とは逆の短辺の側に、Ｖ字状の切欠き部１６２が設けられている。水受部１４から、Ｖ字状の切欠き部１６２が設けられた短辺の側に向かって延設されている一部のリブ１５０は、当該Ｖ字状の切欠き部１６２によって形成される内壁面に向かって折り曲げられ、縦リブ１５２として、当該内壁面の上方から下方に向けて延設されている。
【００５６】
長辺側となる夫々の側面１６０及び、Ｖ字状の切欠き部１６２によって形成される内壁面に設けられた平行の二本のリブである縦リブ１５２は、前後方向に等間隔となるように側面１６０及びＶ字状の切欠き部１６２によって形成される内壁面にて、並設されている。長辺側となる夫々の側面１６０において、一方の側面１６０に設けられた縦リブ１５２と、他方の側面１６０に設けられた縦リブ１５２とは、側面視にて重ならないように、千鳥状に設けられている。すなわち一例として図５に示す左側面視にて、一方の側面１６０に設けられた縦リブ１５２と当該縦リブ１５２に隣接する縦リブ１５２との間に、他方の側面１６０に設けられた縦リブ１５２が位置するように、夫々の側面１６０の縦リブ１５２は、設けられている。同様にＶ字状の切欠き部１６２によって形成される内壁面においても、互いに向かい夫々の内壁面に設けられた夫々の縦リブ１５２は、千鳥状に設けられている。
【００５７】
このように縦リブ１５２を一方の側面１６０及び他方の側面１６０に設けることにより、第２空気の流れ方向において、上流側と下流側に縦リブ１５２を設けることができる。上述のとおり、縦リブ１５２は、一方の側面１６０及び他方の側面１６０にて千鳥状に設けられているため、第２空気の流れ方向における上流側と下流側とでは、異なる第２チャネル１２０に向けて、水を滴下することができ、給水体１３からの水の滴下地点の分布が偏り、温度分布に偏差が発生することを抑制し、効率的に第２経路１２に水を滴下することができる。例えば、夫々の側面１６０の縦リブ１５２は、前後方向に一列に並べると、等間隔となるように設けられている。これにより、等間隔に水を滴下することができ、冷却効率が高くなる。同様に、Ｖ字状の切欠き部１６２によって形成される内壁面においても、互いに向かい夫々の内壁面に設けられた夫々の縦リブ１５２が、前後方向に一列に並べると、等間隔となるように設けられていることで、等間隔に水を滴下することができ、冷却効果は高くなる。
【００５８】
図６は、熱交換器ユニット１における空気の流れを模式的に示す説明図である。図７は、熱交換器ユニット１における給水体１３の要部を説明する説明図である。図７において、顕熱交換器１０はその一部のみが示されている。第１空気及び第２空気は、熱交換器ユニット１の同じ側面の側（左側面の側）から、当該熱交換器ユニット１に向かって流れるものとなる。前述のとおり、第１空気は、顕熱交換器１０の左側面に位置する第１経路１１の入口、すなわち第１チャネル１１０夫々の開口端から、顕熱交換器１０の内部に流入する。第２空気は、顕熱交換器１０の上面を覆うように設けられた支持部材１７の左側面に形成された通風孔１７１を通過した後、顕熱交換器１０の上面に位置する第２経路１２の入口、すなわち第２チャネル１２０夫々の開口端から、顕熱交換器１０の内部に流入する。図６の第２空気を表す矢印は、顕熱交換器１０の上面にある第２経路１２の入口から第２空気が流入し、下方に向かって流れ、顕熱交換器１０の下面にある第２経路１２の出口から第２空気が流出し、後方に流れていく様を示すものである。
【００５９】
縦リブ１５２は、給水体１３の側面１６０において上下に延設される一対となる平行な二本のリブにより構成されており、顕熱交換器１０の第２経路１２を構成する第２チャネル１２０夫々に対応して設けられている。図７に示すとおり、縦リブ１５２夫々と、第２経路１２を構成する第２チャネル１２０夫々とが位置合わせされた状態で、給水体１３は、顕熱交換器１０の上部に載置されている。縦リブ１５２を構成する二本のリブの先端部夫々が、第２チャネル１２０夫々の開口端に重なるように給水体１３は、顕熱交換器１０の上部に載置されている。縦リブ１５２を構成する二本のリブ間の距離は、第１経路１１を構成する第１チャネル１１０のピッチ幅よりも大きくしてある。従って、縦リブ１５２を構成する二本のリブの間に第１経路１１を構成する第１チャネル１１０夫々が位置するように、給水体１３は、顕熱交換器１０の上部に載置されている。
【００６０】
水受部１４から分流された水は、給水体１３の上面１６１に放射状に設けられたリブ１５０と当該リブ１５０に隣接する間、すなわち隣接する２つのリブ１５０により構成される流水路１５を流れる。給水体１３の上面１６１から、側面１６０又は、Ｖ字状の切欠き部１６２によって形成される内壁面に沿って下方に流れ落ちる水は、縦リブ１５２を構成する二本のリブの外面側を伝って流れ落ちる。縦リブ１５２を構成する二本のリブ夫々は、第２経路１２を構成する複数の第２チャネル１２０において、隣接する第２チャネル１２０夫々の開口端に位置するようにしてあるので、縦リブ１５２の外面側を伝って流れ落ちる水を、第２チャネル１２０夫々の開口端に滴下することができる。
【００６１】
上面１６１に設けられるリブ１５０間のピッチを確保するため、側面１６０に形成することができる縦リブ１５２の個数も制限される。従って、一方の側面１６０の側にて、水が滴下されない第２経路１２が生じる。これに対し、夫々の側面１６０に設けられる縦リブ１５２は、千鳥状に形成してあるため、一方の側面１６０の側にて水が滴下されなかった第２経路１２に対し、他方の側面１６０に設けられている縦リブ１５２によって当該第２経路１２に水を滴下することができる。同様にＶ字状の切欠き部１６２によって形成される内壁面夫々において、千鳥状に設けられた縦リブ１５２によって、対応する第２経路１２夫々に水を滴下することができる。このように千鳥状に設けられた縦リブ１５２によって、上面１６１に設けられるリブ１５０間のピッチを十分に確保しつつ、顕熱交換器１０における全ての第２経路１２に、第１タンク７１から供給された水を滴下し、顕熱交換器１０における冷却能力を向上させることができる。
【００６２】
図８は、熱交換器ユニット１が搭載された空調機の一構成例を示す模式的側断面図である。本実施形態の熱交換器ユニット１が搭載された空調機は、箱状の筐体１０４を備え、当該筐体１０４の底部に設けられたキャスター１０５によって、例えば工場等の被空調空間の床面に載置される。図１に示す空調機１００の載置状態を、当該空調機１００の通常の使用態様として上下左右を示す。
【００６３】
空調機１００は、水を貯水するタンクユニット７、気化フィルタ２１及び熱交換器ユニット１を含む冷却ユニット２を備え、当該気化フィルタ２１によって、タンクユニット７から供給された水の気化熱を用いて雰囲気温度を低下させ、被空調空間を冷却するものであり、例えば気化冷却式の空調機１００である。更に空調機１００は、熱交換器ユニット１に含まれる顕熱交換器１０によって、タンクユニット７から供給された水の主には顕熱を用いて雰囲気温度を低下させ、被空調空間を冷却する。
【００６４】
空調機１００の筐体１０４には、被空調空間の空気を吸い込む吸込口３、熱交換器ユニット１の顕熱交換器１０及び、気化フィルタ２１を含む冷却ユニット２を通過し当該冷却ユニット２によって冷却された空気（第１空気）を被空調空間に給気として吹き出す第１吹出口４及び、顕熱交換器１０を通過し水と全熱交換及び第１空気と顕熱交換された空気（第２空気）を排気として吹き出す第２吹出口５が設けられている。
【００６５】
第１吹出口４及び第２吹出口５は、筐体１０４の上面に設けられている。空調機１００は、第１空気及び第２空気を搬送するためのファンを備え、当該ファンは、第１空気を搬送する第１ファン６１と、第２空気を搬送する第２ファン６２とを含む。
【００６６】
第１ファン６１及び第２ファン６２は、単一のファンモータ６を共用しており、ファンモータ６の両端の夫々に設けられたシャフト夫々に連結されている。第２ファン６２と第１ファン６１との間には、仕切板６３が設けられている。当該仕切板６３によって、第１ファン６１によって搬送される第１空気と、第２ファン６２によって搬送される第２空気とが、混合することを確実に防止することができる。
【００６７】
空調機１００には、空気の流通経路として、吸込流路３２、第１流路４１及び第２流路５１が設けられている。吸込流路３２は、吸込口３を起点とし、熱交換器ユニット１に連通している。すなわち、吸込流路３２に流れる吸込空気の流れ方向において、吸込流路３２の下流には、熱交換器ユニット１が設けられている。第１経路１１は、第１吹出口４に連通している第１流路４１の一部を構成する。第２経路１２は、第２吹出口５に連通している第２流路５１の一部を構成する。
【００６８】
吸込流路３２を通過した吸込空気は、熱交換器ユニット１に設けられている第１経路１１及び第２経路１２の入口から熱交換器ユニット１内に流入し、第１経路１１に流入する第１空気及び、第２経路１２に流入する第２空気に分流される。具体的には、熱交換器ユニット１に設けられている第１経路１１及び通風孔１７１によって、吸込空気を分流する分流機構が形成されている。
【００６９】
図示にて例示するように第１経路１１及び通風孔１７１は、熱交換器ユニット１内の側面（図示上は左側面）に設けられており、同様に熱交換器ユニット１内の側面に設けられている吸込口３と、第１経路１１及び第２経路１２の入口である通風孔１７１とは、吸込流路３２によって連通している。吸込口３と、第１経路１１及び通風孔１７１との間、又は第１経路１１の途中には、集塵フィルタ３１が介在して設けられている。
【００７０】
顕熱交換器１０における第２経路１２の出口の下方には、ドレンパン１０３が設けられている。当該ドレンパン１０３から第２吹出口５までの第２流路５１は、ドレンパン１０３から上方に向かって延設されており、図示の紙面上、顕熱交換器１０の奥側に設けられている。図８においては、図の奥行き方向である熱交換器ユニット１の後方に第２流路５１が設けられている。従って、顕熱交換器１０の第２経路１２及び、ドレンパン１０３から第２吹出口５までの第２流路５１によって、上下に折り返す流路が形成される。上述のとおり、顕熱交換器１０の第２経路１２は、第２流路５１の一部を構成するものであり、第２流路５１に含まれる。従って、第２流路５１は、顕熱交換器１０の上方から下方に向かって延設され、ドレンパン１０３が位置する場所を通過後、上方に向かって延設される上下方向の折り返し部を含む。
【００７１】
ドレンパン１０３から第２吹出口５までの第２流路５１の下流側には、第２空気を搬送するための第２ファン６２が設けられている。ドレンパン１０３から第２吹出口５までの第２流路５１は、上方に向かって延設されており、第２ファン６２はドレンパン１０３よりも上部に設けられている。第２ファン６２によって搬送された第２空気は、第２吹出口５から排気（ＥＡ）として吹き出される。
【００７２】
第１空気の流れ方向において、顕熱交換器１０の第１経路１１の終端、すなわち第１経路１１の出口の下流側には、気化フィルタ２１が設けられている。気化フィルタ２１は、第１経路１１に設けられており、顕熱交換器１０と、第１ファン６１との間に設けられている。
【００７３】
気化フィルタ２１は、矩形状のフィルタエレメントの一面を、第１経路１１の出口が設けられた顕熱交換器１０の側面に対向させて、設けられている。当該気化フィルタ２１から第１吹出口４までの第１流路４１は、気化フィルタ２１から上方に向かって延設されている。気化フィルタ２１から第１吹出口４までの第１流路４１の下流側には、第１空気を搬送するための第１ファン６１が設けられている。第１ファン６１は気化フィルタ２１よりも上部に設けられている。第１ファン６１によって搬送された第１空気は、第１吹出口４から給気（ＳＡ）として、被空調空間に吹き出される。
【００７４】
上述のとおり、空調機１００は、気化フィルタ２１及び熱交換器ユニット１に供給する水を貯水するタンクユニット７を備え、当該タンクユニット７は、第１タンク７１及び第２タンク７２を含む。第１タンク７１は、例えば、上部に開口部が形成された矩形状の箱体を成し、気化フィルタ２１及びドレンパン１０３の下方に設けられている。
【００７５】
第１タンク７１には、冷却ユニット２にて残存した水を回収するための回収水路９を介して、当該回収された水が貯水される。回収水路９は、第１回収水路９１及び第２回収水路９２を含む。第１タンク７１と気化フィルタ２１とは、第１回収水路９１を介して連通されている。第１タンク７１とドレンパン１０３とは、第２回収水路９２を介して連通されている。第１回収水路９１及び第２回収水路９２の第１タンク７１側の端部、すなわち第１回収水路９１及び第２回収水路９２の出口は、第１タンク７１の開口部に向けられている。詳細は後述するが、冷却ユニット２にて残存した水は、第１タンク７１から気化フィルタ２１及び熱交換器ユニット１に供給された水であって、気化せず液体の状態の残った水である。
【００７６】
第１タンク７１の内部には、第１タンク７１に貯水された水を気化フィルタ２１及び熱交換器ユニット１に供給するためのポンプ１０１が設けられている。ポンプ１０１は、第１タンク７１の内部に設けられる場合に限定されず、ポンプ１０１の本体を第１タンク７１の外部に設け、当該ポンプ１０１と第１タンク７１とを連通する水路を介して、第１タンク７１内の水を搬送するものであってもよい。
【００７７】
ポンプ１０１は、例えばマイコン等にて構成されるコントローラ１０２と通信線により接続されており、コントローラ１０２から出力される制御信号に基づき、駆動又は停止する。図示にてコントローラ１０２は、空調機１００の下部に設けられるものとして示されているが、これに限定されない。コントローラ１０２は、例えば、顕熱交換器１０から第２吹出口５までの第２流路５１を形成する流路壁の外周面の側に設けられ、当該第２流路５１の流路壁を介して、第２空気によって冷却されるものであってもよい。
【００７８】
ポンプ１０１と、気化フィルタ２１及び顕熱交換器１０とは、供給水路８によって連通されている。従って、ポンプ１０１及び供給水路８を介して、第１タンク７１と、気化フィルタ２１及び顕熱交換器１０とは、連通している。供給水路８は、第１供給水路８１及び第２回収水路９２を含み、気化フィルタ２１及び顕熱交換器１０の近傍において第１供給水路８１及び第２回収水路９２に分岐されている。第１供給水路８１は、気化フィルタ２１に連通している。第２供給水路８２は、顕熱交換器１０に連通している。
【００７９】
第１供給水路８１から供給された水は、気化フィルタ２１の上部に設けられている第１給水部２１１によって一旦、保水され、第１給水部２１１に設けられた給水孔２１２から気化フィルタ２１に滴下され、気化フィルタ２１内に浸透する。第２供給水路８２から供給された水は、顕熱交換器１０の上部に設けられている給水体１３を介して、顕熱交換器１０の第２経路１２の内部に滴下される。
【００８０】
第１タンク７１に設けられたポンプ１０１によって、第１タンク７１から気化フィルタ２１及び顕熱交換器１０に搬送され、気化フィルタ２１及び顕熱交換器１０にて気化せず液体の状態の残った水は、重力によって第１タンク７１に還流される。すなわち、第１タンク７１、供給水路８、冷却ユニット２、及び回収水路９による水の循環水路が形成される。
【００８１】
供給水路８は、冷却ユニット２に含まれる気化フィルタ２１及び熱交換器ユニット１に応じて、第１供給水路８１及び第２供給水路８２に分岐される。回収水路９は、冷却ユニット２に含まれる気化フィルタ２１及び熱交換器ユニット１に応じて、第１回収水路９１及び第２回収水路９２を備える。従って、循環水路は、第１供給水路８１、気化フィルタ２１及び第１回収水路９１による気化フィルタ２１系水路と、第２供給水路８２、熱交換器ユニット１の第２経路１２、第２回収水路９２による熱交換器ユニット１系水路とが並列に構成された水路を含む。
【００８２】
ポンプ１０１の駆動によって搬送される水の単位時間あたりの体積流量において、気化フィルタ２１系水路である第１供給水路８１の体積流量は、熱交換器ユニット１系水路である第２供給水路８２の体積流量よりも少なくしてある。例えば、第１供給水路８１の体積流量は０．３Ｌ／ｍｉｎとし、第２供給水路８２の体積流量は３Ｌ／ｍｉｎとして、第１供給水路８１の体積流量は、第２供給水路８２の体積流量の１／１０とするものであってもよい。これにより、第１空気と共に被空調空間に吹き出される水蒸気の量を抑制しつつ、顕熱交換器１０において顕熱によって第２空気を冷却するための水量を多くすることができ、冷却ユニット２における冷却効率を更に向上させることができる。
【００８３】
空調機１００は、被空調空間の空気を吸込口３から吸込し、吸込された吸込空気は、吸込流路３２及び集塵フィルタ３１を通過して、熱交換器ユニット１に流入する。吸込流路３２の出口に対応して、熱交換器ユニット１の第１経路１１（ＳＡ：給気側経路）及び第２経路１２（ＥＡ：排気側経路）の入口が、熱交換器ユニット１の側面に設けられており、吸込空気は、第１経路１１を流れる第１空気（ＳＡ）と、第２経路１２を流れる第２空気（ＥＡ）とに分流される。
【００８４】
第２経路１２には、顕熱交換器１０の上部に設けられた給水体１３を介して、第１タンク７１から供給された水が滴下される。すなわち、第２経路１２は、第２空気と、給水体１３から滴下された水とが、混在する状態となる。第１タンク７１に貯水されている水は、気化フィルタ２１から回収した水であり、気化熱により冷却されている水である。従って、第１タンク７１から供給された水の水温は、第２経路１２に流入した直後の第２空気の温度よりも低い。第２空気は、給水体１３から滴下された水と熱交換する。すなわち当該水によって冷却される。又、前述のとおり給水体１３から滴下された水は、第２経路１２を構成する第２チャネル１２０夫々に分配されて、当該第２チャネル１２０の内部に滴下するため、第２空気に接する水の表面積は、増加する。これにより、給水体１３から滴下された水の一部は気化し、当該気化熱によっても、第２空気は冷却される。
【００８５】
顕熱交換器１０の第１経路１１に流れる第１空気と、第２経路１２に流れる第２空気とは、直行流を形成しており、第１空気と第２空気との間で顕熱交換がされる。上述のとおり、第２経路１２に流れる第２空気は、第１タンク７１から供給された水によって冷却されており、第１空気は、第１タンク７１から供給された水によって冷却された第２空気によって、冷却される。
【００８６】
顕熱交換器１０の第１経路１１を通過した第１空気は、顕熱交換器１０から第１吹出口４までの第１流路４１に流入する。当該第１流路４１において、顕熱交換器１０の下流側には気化フィルタ２１が設けられており、第１空気は気化フィルタ２１を通過する。
【００８７】
気化フィルタ２１には、気化フィルタ２１の上部に設けられた第１給水部２１１を介して、第１タンク７１から供給された水が滴下される。第１流路４１内は負圧に保たれているので、第１タンク７１から供給された水は、第１給水部２１１の底面に設けられた給水孔２１２から気化フィルタ２１の内部に吸い込まれ、気化フィルタ２１内に浸透する。気化フィルタ２１に浸透した水は、第１空気が気化フィルタ２１を通過することにより気化が促進され、気化、すなわち蒸発して水蒸気となって第１空気に含有される。当該気化熱により、第１空気は冷却され、第１空気の温度は低下する。冷却された第１空気は、第１ファン６１によって第１吹出口４から、給気（ＳＡ）として被空調空間に吹き出される。
【００８８】
このような構成とすることにより、給気（ＳＡ）として被空調空間に吹き出される第１空気に対し、顕熱交換器１０による一次冷却、及び気化フィルタ２１による二次冷却を含む２段階の冷却を行うことができる。従って、例えば、気化フィルタ２１のみを用いる直接気化方式と比較して、第１空気の温度を更に低下させることができる。このとき、第１給水部２１１は、給水体１３に置き換えてもよい。
【００８９】
顕熱交換器１０の第２経路１２に流入した第２空気は、給水体１３から滴下して給水された水が混合され、顕熱交換器１０の下方に位置する第２経路１２の出口に向かって、搬送される。第２経路１２は、第１経路１１との直行流が形成される領域において、顕熱交換器１０の上方から下方に向かって延設されているため、給水体１３から給水された水が混合した第２空気は、顕熱交換器１０の上方から下方に向かって流れる。
【００９０】
顕熱交換器１０の第２経路１２の出口の下流側には、ドレンパン１０３が設けられており、ドレンパン１０３から第２吹出口５までの第２流路５１は、ドレンパン１０３から上方に向かって延設されている。第２流路５１は、図８の奥行き方向である後方向に形成されている。従って、給水体１３から給水された水が混合した第２空気は、顕熱交換器１０の第２経路１２の出口から流出した後、ドレンパン１０３がある地点を最下点として、上下に折り返して流れるものとなる。すなわち、顕熱交換器１０の第２経路１２を含む第２流路５１は、顕熱交換器１０の上方から下方に延び、ドレンパン１０３が位置する場所を通過後、上方に向かって延設された上下方向の折り返し部を含む。
【００９１】
給水体１３から給水された水が混合した第２空気が、当該折り返し部を通過する際、すなわち下方への流れ方向から、上方への流れ方向に変化するにあたり、遠心力が発生する。第２空気と共に流れる水は、空気よりも比重が大きいため、遠心力により、折り返し部の外周側に偏ることにより、第２空気から分離、すなわち気液分離されるものとなる。
【００９２】
第２空気から分離（気液分離）された水は、ドレンパン１０３に一旦、保水され、ドレンパン１０３の下部に設けられた第２回収水路９２を介して、第１タンク７１に回収される。なお、顕熱交換器１０の第２経路１２の内壁面に付着した水も、重力によって第２経路１２の出口に移動し、当該出口から滴下することにより、ドレンパン１０３に保水され、第２回収水路９２を介して、第１タンク７１に回収される。
【００９３】
顕熱交換器１０の第２経路１２における上方から下方に延設される部分、第２経路１２の出口の下方に設けられたドレンパン１０３、及びドレンパン１０３から上方に向かって延設される第２流路５１によって、給水体１３から給水された水が混合した第２空気から、当該水を分離する気液分離機構が構成される。当該気液分離機構によって、第２空気から水を分離することにより、当該第２空気の絶対湿度が増加することを抑制することができる。
【００９４】
ドレンパン１０３を通過した第２空気は、ドレンパン１０３から第２吹出口５までの第２流路５１に流入する。第２流路５１は、例えば、顕熱交換器１０の側面と、当該側面に対向する筐体１０４の内面との間に設けられており、第２空気は、第２流路５１を介して、ドレンパン１０３から、ファンモータ６及び第２ファン６２が載置されているファン室に搬送される。すなわちファンモータ６は、第２流路５１の途中に設けられているため、第２空気によって冷却される。ファンモータ６は、気液分離機構の下流側に設けられているため、水が分離された後の第２空気によって、当該ファンモータ６を効率的に冷却することができる。ファンモータ６を冷却した第２空気は、第２吹出口５から排気として吹き出される。
【００９５】
本実施形態にて示すとおり、給水体及び顕熱交換器を含む熱交換器ユニット１を搭載した空調機を用いることにより、顕熱交換器に供給された水により冷却された第２空気によって、冷却された第１空気を給気として被空調空間に吹き出すことができる。
【００９６】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００９７】
１  熱交換器ユニット
１０  顕熱交換器（熱交換器）
１１  第１経路
１１０  第１チャネル
１２  第２経路
１２０  第２チャネル
１３  給水体
１４  水受部
１５  流水路
１５０  リブ
１５１  端部
１５２  縦リブ
１６  箱体
１６０  側面
１６１  上面
１６２  切欠き部
１７  支持部材
１７１  通風孔
２  冷却ユニット
２１  気化フィルタ
２１１  第１給水部
２１２  給水孔
３  吸込口
３１  集塵フィルタ
３２  吸込流路
４  第１吹出口
４１  第１流路
５  第２吹出口
５１  第２流路
６  ファンモータ
６１  第１ファン
６２  第２ファン
６３  仕切板
７  タンクユニット
７１  第１タンク
７１１  断熱部材
７２  第２タンク
８  供給水路
８１  第１供給水路
８２  第２供給水路
９  回収水路
９１  第１回収水路
９２  第２回収水路
１００  空調機
１０１  ポンプ
１０２  コントローラ
１０３  ドレンパン
１０４  筐体
１０５  キャスター
【要約】
【課題】冷却能力を向上させることができる給水体、熱交換器ユニット及び空調機を提供することを目的とする。
【解決手段】給水体は、第１経路と、前記第１経路に流れる第１空気と熱交換される第２空気が流れる第２経路とを含む熱交換器の上方に設けられる給水体であって、前記熱交換器に供給される水を受ける水受部と、前記水受部が受けた水が、流れる複数の流水路とを備え、前記複数の流水路夫々は、前記第２経路を構成する複数のチャネル夫々に向けて延設されている。
【選択図】図１【図１】
0006885479.tif 000002
【図２】
0006885479.tif 000003
【図３】
0006885479.tif 000004
【図４】
0006885479.tif 000005
【図５】
0006885479.tif 000006
【図６】
0006885479.tif 000007
【図７】
0006885479.tif 000008
【図８】
0006885479.tif 000009